(57)【特許請求の範囲】
【請求項１】
電気泳動媒体を備え、見る側における第１の面と、上記見る側の逆の側における第２の面とを有するディスプレイ層であって、
上記電気泳動媒体は、共通電極と複数の画素電極の層との間に挟まれ、上記電気泳動媒体は、強く正に帯電した粒子、強く負に帯電した粒子、弱く正に帯電した粒子、及び弱く負に帯電した粒子を備え、これらのすべては１つの溶媒又は溶媒の混合物に分散され、
上記４つのタイプの粒子は、
（ａ）上記共通電極と１つの画素電極との間に正の強い電位差を印加することで、上記画素電極に対応する画素により、上記強く正に帯電した粒子の光学的特性を上記見る側に表示させるように、又は、
（ｂ）上記共通電極と１つの画素電極との間に負の強い電位差を印加することで、上記画素電極に対応する画素により、上記強く負に帯電した粒子の光学的特性を上記見る側に表示させるように、又は、
（ｃ）上記強く正に帯電した粒子の光学的特性が上記第１の面に表示されたとき、上記共通電極と１つの画素電極との間に負の弱い電位差を印加することで、上記画素電極に対応する画素により、上記弱く負に帯電した粒子の光学的特性を上記見る側に表示させ、かつ、上記弱く正に帯電した粒子を上記画素電極の側へ移動させるように、又は、
（ｄ）上記強く負に帯電した粒子の光学的特性が上記第１の面に表示されたとき、上記共通電極と１つの画素電極との間に正の弱い電位差を印加することで、上記画素電極に対応する画素により、上記弱く正に帯電した粒子の光学的特性を上記見る側に表示させ、かつ、上記弱く負に帯電した粒子を上記画素電極の側へ移動させるように、
互いに異なる光学的特性をそれぞれ有し、
上記印加される弱い電位差は、上記印加される強い電位差の５％〜５０％であるディスプレイ層。
【請求項２】
上記弱く帯電した粒子の電荷レベルは、上記強く帯電した粒子の電荷レベルの５０％未満である請求項１記載の層。
【請求項３】
上記弱く帯電した粒子の電荷レベルは、上記強く帯電した粒子の電荷レベルの５％〜３０％である請求項１記載の層。
【請求項４】
上記弱く帯電した粒子の電荷レベルは、上記強く帯電した粒子の電荷レベルの７５％未満である請求項１記載の層。
【請求項５】
上記弱く帯電した粒子の電荷レベルは、上記強く帯電した粒子の電荷レベルの１５％〜５５％である請求項１記載の層。
【請求項６】
見る側における共通電極と、複数の画素電極の層との間に挟まれた電気泳動媒体であって、
上記電気泳動媒体は、強く正に帯電した粒子、強く負に帯電した粒子、弱く正に帯電した粒子、及び弱く負に帯電した粒子を備え、これらのすべては１つの溶媒又は溶媒の混合物に分散され、
上記４つのタイプの粒子は、
（ａ）上記共通電極と１つの画素電極との間に正の強い電位差を印加することで、上記画素電極に対応する画素により、上記強く正に帯電した粒子の光学的特性を上記見る側に表示させるように、又は、
（ｂ）上記共通電極と１つの画素電極との間に負の強い電位差を印加することで、上記画素電極に対応する画素により、上記強く負に帯電した粒子の光学的特性を上記見る側に表示させるように、又は、
（ｃ）上記強く正に帯電した粒子の光学的特性が上記見る側に表示されたとき、上記共通電極と１つの画素電極との間に負の弱い電位差を印加することで、上記画素電極に対応する画素により、上記弱く負に帯電した粒子の光学的特性を上記見る側に表示させ、かつ、上記弱く正に帯電した粒子を上記画素電極の側へ移動させるように、又は、
（ｄ）上記強く負に帯電した粒子の光学的特性が上記見る側に表示されたとき、上記共通電極と１つの画素電極との間に正の弱い電位差を印加することで、上記画素電極に対応する画素により、上記弱く正に帯電した粒子の光学的特性を上記見る側に表示させ、かつ、上記弱く負に帯電した粒子を上記画素電極の側へ移動させるように、
互いに異なる光学的特性をそれぞれ有し、
上記印加される弱い電位差は、上記印加される強い電位差の５％〜５０％である電気泳動媒体。
【請求項７】
上記弱く正に帯電した粒子は、上記強く正に帯電した粒子の電荷レベルの５０％未満である電荷レベルを有し、
上記弱く負に帯電した粒子は、上記強く負に帯電した粒子の電荷レベルの７５％未満である電荷レベルを有する請求項６記載の媒体。
【請求項８】
実質的に帯電していない中性浮力粒子をさらに含む請求項６記載の媒体。
【請求項９】
上記実質的に帯電していない中性浮力粒子は帯電していない請求項８記載の媒体。
【請求項１０】
電気泳動媒体を備え、見る側における第１の面と、上記見る側の逆の側における第２の面とを有するディスプレイ装置の駆動方法であって、
上記電気泳動媒体は、共通電極と複数の画素電極の層との間に挟まれ、上記電気泳動媒体は、強く正に帯電した粒子、強く負に帯電した粒子、弱く正に帯電した粒子、及び弱く負に帯電した粒子を備え、これらのすべては１つの溶媒又は溶媒の混合物に分散され、
上記４つのタイプの粒子は、互いに異なる光学的特性をそれぞれ有し、
上記方法は、
（ａ）上記共通電極と１つの画素電極との間に正の強い電位差を印加することで、上記画素電極に対応する画素を駆動し、上記強く正に帯電した粒子の光学的特性を上記見る側に表示させること、又は、
（ｂ）上記共通電極と１つの画素電極との間に負の強い電位差を印加することで、上記画素電極に対応する画素を駆動し、上記強く負に帯電した粒子の光学的特性を上記見る側に表示させること、又は、
（ｃ）上記強く正に帯電した粒子の光学的特性が上記第１の面に表示されたとき、上記共通電極と１つの画素電極との間に負の弱い電位差を印加することで、上記画素電極に対応する画素を駆動し、上記弱く負に帯電した粒子の光学的特性を上記見る側に表示させ、かつ、上記弱く正に帯電した粒子を上記画素電極の側へ移動させること、又は、
（ｄ）上記強く負に帯電した粒子の光学的特性が上記第１の面に表示されたとき、上記共通電極と１つの画素電極との間に正の弱い電位差を印加することで、上記画素電極に対応する画素を駆動し、上記弱く正に帯電した粒子の光学的特性を上記見る側に表示させ、かつ、上記弱く負に帯電した粒子を上記画素電極の側へ移動させること
を含み、
上記印加される弱い電位差は、上記印加される強い電位差の５％〜５０％である方法。
【請求項１１】
１つの溶媒又は溶媒の混合物に分散された４つのタイプの帯電した顔料粒子を含む電気泳動流体の駆動方法であって、
上記４つのタイプの帯電した顔料粒子は、強く正に帯電した顔料粒子、強く負に帯電した顔料粒子、弱く正に帯電した顔料粒子、及び弱く負に帯電した顔料粒子であり、
上記方法は、
（ａ）上記弱く帯電した顔料粒子のうちの１つに係る色状態に画素を駆動し、その後、
（ｂ）上記強く帯電した顔料粒子の色状態に上記画素を駆動すること
を含み、
（ａ）の上記弱く帯電した顔料粒子及び（ｂ）の上記強く帯電した顔料粒子は、逆の電荷極性を有する駆動方法。
【請求項１２】
振動波形を印加することをさらに含む請求項１１記載の駆動方法。
【請求項１３】
１つの溶媒又は溶媒の混合物に分散された４つのタイプの帯電した顔料粒子を含む電気泳動媒体の駆動方法であって、
上記４つのタイプの帯電した顔料粒子は、強く正に帯電した顔料粒子、強く負に帯電した顔料粒子、弱く正に帯電した顔料粒子、及び弱く負に帯電した顔料粒子であり、
上記方法は、
（ａ）強く帯電した顔料粒子の１つのタイプと同じ極性を有する高い駆動電圧を画素に印加して、上記画素を上記１つのタイプの強く帯電した顔料粒子の色状態に駆動することと、
（ｂ）弱く帯電した顔料粒子の１つのタイプと同じ極性を有する低い駆動電圧を上記画素に印加して、上記画素を上記１つのタイプの弱く帯電した顔料粒子の色状態に駆動することと、
（ｃ）上記１つのタイプの強く帯電した顔料粒子と同じ極性を有する高い駆動電圧を上記画素に印加して、上記画素を上記１つのタイプの強く帯電した顔料粒子の色状態に駆動することと
を含み、
（ａ）及び（ｃ）の上記強く帯電した顔料粒子及び（ｂ）の上記弱く帯電した顔料粒子は、逆極性に帯電され、
上記駆動方法はＤＣバランスがとれている駆動方法。
【請求項１４】
振動波形を印加することをさらに含む請求項１３記載の方法。
【発明の詳細な説明】
【技術分野】
【０００１】
本発明は、各画素が４つの高品質の色状態を表示することができるカラーディスプレイ装置に関し、そのような電気泳動ディスプレイのための電気泳動流体に関し、また、そのようなディスプレイ装置の駆動方法に関する。
【背景技術】
【０００２】
カラーディスプレイを実現するために、カラーフィルタがしばしば使用される。最も一般的なアプローチは、赤色、緑色、及び青色を表示するために、ピクセル化されたディスプレイの黒／白のサブ画素上にカラーフィルタを追加することである。赤色が望まれる場合、表示される色が赤のみになるように、緑及び青のサブ画素は黒色状態に変えられる。黒色状態が望まれる場合、３種すべてのサブ画素は黒色状態に変えられる。白色状態が望まれる場合、３つのサブ画素は赤、緑、及び青にそれぞれ変えられ、その結果、見る人には白色状態が見える。
【先行技術文献】
【特許文献】
【０００３】
【特許文献１】米国特許第７０４６２２８号明細書
【特許文献２】米国特許第６９３０８１８号明細書
【非特許文献】
【０００４】
【非特許文献１】"New Pigment Application Technology", CMC Publishing Co, Ltd, 1986
【非特許文献２】"Printing Ink Technology", CMC Publishing Co, Ltd, 1984
【非特許文献３】Seigou Kawaguchi et al, "Designed Monomers and Polymers", 3, 263, 2000
【発明の概要】
【発明が解決しようとする課題】
【０００５】
そのような技術の最大の欠点は、サブ画素のそれぞれが所望の白色状態の約３分の１の反射率を有するので、白色状態はかなり暗いということにある。これを補償するために、黒色状態及び白色状態のみを表示できる第４のサブ画素が追加されてもよく、その結果、白色レベルは、赤色、緑色、又は青色のレベルを犠牲にして２倍になる（ここで、各サブ画素は画素の面積の４分の１のみである）。より明るい色は白色画素から光を追加することで達成できるが、これは色の全範囲を犠牲にして達成され、色の明度を非常に大きくし、かつ不飽和にする。同様の結果は、３つのサブ画素の彩度を低減することで達成可能である。このアプローチを用いた場合であっても、白色レベルは、通常、実質的に白黒ディスプレイのそれの半分未満であり、それは、良好に読み取り可能な黒白の明度及びコントラストを必要とするｅリーダー又はディスプレイのようなディスプレイ装置のための選択肢としては受け入れがたいものになる。
【０００６】
本発明の目的は、各画素が４つの高品質の色状態を表示することができるカラーディスプレイ装置、そのような電気泳動ディスプレイのための電気泳動流体、及びそのようなディスプレイ装置の駆動方法を提供することにある。
【課題を解決するための手段】
【０００７】
本発明の１つの態様は、電気泳動媒体を備え、第１の面及び第２の面をその互いに逆の面の上に有するディスプレイ層に関する。
上記電気泳動媒体は、第１のタイプの正の粒子、第１のタイプの負の粒子、第２のタイプの正の粒子、及び第２のタイプの負の粒子を備え、これらのすべては１つの溶媒又は溶媒の混合物に分散されている。
上記４つのタイプの粒子は、
（ａ）上記第１のタイプの正の粒子と同じ極性を有する電界を印加することで、上記第１のタイプの正の粒子の光学的特性を上記第１の面に表示させるように、又は、
（ｂ）上記第１のタイプの負の粒子と同じ極性を有する電界を印加することで、上記第１のタイプの負の粒子の光学的特性を上記第１の面に表示させるように、又は、
（ｃ）上記第１のタイプの正の粒子の光学的特性が上記第１の面に表示されたとき、上記第２のタイプの負の粒子と同じ極性を有する電界であって、上記第１のタイプの正の粒子及び上記第１のタイプの負の粒子の間の引力を上回るほど強くはないが、他の逆極性に帯電した粒子の間の引力を上回るのに十分な強さを有する電界を印加することで、上記第２のタイプの負の粒子の光学的特性を上記第１の面に表示させるように、又は、
（ｄ）上記第１のタイプの負の粒子の光学的特性が上記第１の面に表示されたとき、上記第２のタイプの正の粒子と同じ極性を有する電界であって、上記第１のタイプの正の粒子及び上記第１のタイプの負の粒子の間の引力を上回るほど強くはないが、他の逆極性に帯電した粒子の間の引力を上回るのに十分な強さを有する電界を印加することで、上記第２のタイプの正の粒子の光学的特性を上記第１の面に表示させるように、
互いに異なる光学的特性をそれぞれ有する。
【０００８】
１つの実施形態では、上記第１のタイプの正の粒子は黒色粒子であり、上記第１のタイプの負の粒子は黄色粒子であり、上記第２のタイプの正の粒子は赤色粒子であり、上記第２のタイプの負の粒子は白色粒子である。
【０００９】
１つの実施形態では、上記第１のタイプの正の粒子及び上記第１のタイプの負の粒子の電荷は、上記第２のタイプの正の粒子及び上記第２のタイプの負の粒子よりも強い。
【００１０】
１つの実施形態では、上記より弱く帯電した粒子の電荷は、上記より強く帯電した粒子の電荷の５０％未満である。１つの実施形態では、上記より弱く帯電した粒子の電荷は、上記より強く帯電した粒子の電荷の５％〜３０％である。１つの実施形態では、上記より弱く帯電した粒子の電荷は、上記より強く帯電した粒子の電荷の７５％未満である。１つの実施形態では、上記より弱く帯電した粒子の電荷は、上記より強く帯電した粒子の電荷の１５％〜５５％である。
【００１１】
１つの実施形態では、上記電気泳動媒体は、実質的に帯電していない中性浮力粒子をさらに含む。１つの実施形態では、上記中性浮力粒子は帯電していない。
【００１２】
本発明のもう１つの態様は、１つの溶媒又は溶媒の混合物に分散された４つのタイプの帯電した顔料粒子を含む電気泳動流体の駆動方法に関する。
上記４つのタイプの帯電した顔料粒子は、強く正に帯電した顔料粒子、強く負に帯電した顔料粒子、弱く正に帯電した顔料粒子、及び弱く負に帯電した粒子である。
本方法は、
（ａ）上記弱く帯電した粒子のうちの１つに係る色状態に画素を駆動し、その後、
（ｂ）強く帯電した粒子の色状態に上記画素を駆動すること
を含む。
上記弱く帯電した粒子及び上記強く帯電した粒子は、逆の電荷極性を有する。
【００１３】
１つの実施形態では、上記方法は振動波形をさらに含む。
【００１４】
上記駆動方法の１つの実施形態では、強く正に帯電した粒子は黒色である。他の実施形態では、強く負に帯電した粒子は黄色である。別の実施形態において、弱く正に帯電した粒子は赤色である。さらに別の実施形態において、弱く負に帯電した粒子は白色である。
【００１５】
本発明の別の態様は、１つの溶媒又は溶媒の混合物に分散された４つのタイプの帯電した顔料粒子を含む電気泳動流体の駆動方法に関する。
上記４つのタイプの帯電した顔料粒子は、強く正に帯電した顔料粒子、強く負に帯電した顔料粒子、弱く正に帯電した顔料粒子、及び弱く負に帯電した粒子である。
本方法は以下のステップを含む。
（ａ）振動波形を印加することと、
（ｂ）強く帯電した顔料粒子の１つのタイプと同じ極性を有する高い駆動電圧を印加して、上記強く帯電した顔料粒子の色状態に駆動することと、
（ｃ）弱く帯電した顔料粒子の１つのタイプと同じ極性を有する低い駆動電圧を印加して、弱く帯電した顔料粒子の色状態に駆動することと、
（ｄ）上記強く帯電した顔料粒子と同じ極性を有する高い駆動電圧を印加して、上記強く帯電した顔料粒子の色状態に駆動することと
を含む。
上記強く帯電した顔料粒子及び上記弱く帯電した顔料粒子は、逆極性に帯電されている。
上記駆動方法はＤＣバランスがとれている。
【００１６】
本発明のさらに別の態様は、１つの溶媒又は溶媒の混合物に分散された４つのタイプの帯電した顔料粒子を含む電気泳動流体に関する。
上記４つのタイプの帯電した顔料粒子は、強く正に帯電した顔料粒子、強く負に帯電した顔料粒子、弱く正に帯電した顔料粒子、及び弱く負に帯電した粒子である。
上記弱く帯電した粒子は、上記強く帯電した粒子の電荷強度の７５％未満である電荷強度を有する。
【００１７】
１つの実施形態では、上記弱く正に帯電した粒子は、上記強く正に帯電した粒子の電荷強度の５０％未満である電荷強度を有し、上記弱く負に帯電した粒子は、上記強く負に帯電した粒子の電荷強度の７５％未満である電荷強度を有する。
【００１８】
１つの実施形態では、流体は、実質的に帯電していない中性浮力粒子をさらに含み、これは帯電していなくてもよい。
【図面の簡単な説明】
【００１９】
【図１】４つの異なる色状態を表示することができるディスプレイ層を示す図である。
【図２−１】本発明の例を示す図である。
【図２−２】本発明の例を示す図である。
【図２−３】本発明の例を示す図である。
【図３】画素電極と整列していないディスプレイセルを示す図である。
【図４Ａ】本発明の駆動方法を示す図である。
【図４Ｂ】本発明の駆動方法を示す図である。
【図５】駆動シーケンスに組み込まれてもよい振動波形を示す図である。
【図６Ａ】本発明のディスプレイ装置を駆動するための例示的な波形を示す図である。
【図６Ｂ】本発明のディスプレイ装置を駆動するための例示的な波形を示す図である。
【発明を実施するための形態】
【００２０】
本発明の電気泳動流体は、２ペアの逆極性に帯電した粒子を含む。第１のペアは、第１のタイプの正の粒子及び第１のタイプの負の粒子からなり、第２のペアは、第２のタイプの正の粒子及び第２のタイプの負の粒子からなる。
【００２１】
２ペアの逆極性に帯電した粒子において、一方のペアは他方のペアより強い電荷を有する。従って、これら４つのタイプの粒子は、強い正の粒子、強い負の粒子、弱い正の粒子、及び弱い負の粒子と呼ばれることもある。
【００２２】
図１に示す例のように、黒色粒子（Ｋ）及び黄色粒子（Ｙ）は第１のペアの逆極性に帯電した粒子であり、このペアにおいて、黒色粒子は強い正の粒子であり、黄色粒子は強い負の粒子である。赤色粒子（Ｒ）及び白色粒子（Ｗ）は第２のペアの逆極性に帯電した粒子であり、このペアにおいて、赤色粒子は弱い正の粒子であり、白色粒子は弱い負の粒子である。
【００２３】
図示しないもう一つの例において、黒色粒子は強い正の粒子であってもよく、黄色粒子は弱い正の粒子であってもよく、白色粒子は弱い負の粒子であってもよく、赤色粒子は強い負の粒子であってもよい。
【００２４】
さらに、４つのタイプの粒子に係る色状態が意図的に混合されてもよい。例えば、黄色の顔料は本来、何らかの緑がかった色調を有する場合が多いので、より良好な黄色の色状態が望まれる場合、黄色粒子及び赤色粒子が使用されてもよい。ここで、両方のタイプの粒子が同じ電荷極性を有し、黄色粒子が赤色粒子よりも強く帯電されている。その結果、黄色状態において、緑みの黄色粒子と混合した少量の赤色粒子が存在することで、黄色状態はより良好な色純度を有することになる。
【００２５】
４つのタイプの粒子が視覚的に識別可能な色を有する限り、本発明の範囲は任意の色の粒子を広く包含するということが理解される。
【００２６】
白色粒子について、それらは、ＴｉＯ２、ＺｒＯ２、ＺｎＯ、Ａｌ２Ｏ３、Ｓｂ２Ｏ３、ＢａＳＯ４、ＰｂＳＯ４などのような無機顔料から形成されてもよい。
【００２７】
黒色粒子について、それらは、ＣＩピグメントブラック２６又は２８など（例えば、マンガンフェライトブラックスピネル又は銅クロム鉄鉱ブラックスピネル）又はカーボンブラックから形成されてもよい。
【００２８】
それとは独立に、他の色の粒子は、赤、緑、青、マゼンタ、シアン、又は黄色のような色のものである。色粒子の顔料は、ＣＩピグメントＰＲ２５４、ＰＲ１２２、ＰＲ１４９、ＰＧ３６、ＰＧ５８、ＰＧ７、ＰＢ２８、ＰＢ１５：３、ＰＹ８３、ＰＹ１３８、ＰＹ１５０、ＰＹ１５５、又はＰＹ２０を含んでもよいが、これらに限定されない。これらは、非特許文献１及び２のカラーインデックスハンドブックに記載されている、一般的に使用されている有機顔料である。特定の例は、クラリアント（Clariant）のＨｏｓｔａｐｅｒｍ（登録商標）  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０、Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｎｏｖｏｐｅｒｍ（登録商標）  Ｙｅｌｌｏｗ  ＨＲ−７０−ＥＤＳ、Ｈｏｓｔａｐｅｒｍ  Ｇｒｅｅｎ  ＧＮＸ、ＢＡＳＦのＩｒｇａｚｉｎｅ  ｒｅｄ  Ｌ  ３６３０、Ｃｉｎｑｕａｓｉａ  Ｒｅｄ  Ｌ  ４１００  ＨＤ、及びＩｒｇａｚｉｎ（登録商標）  Ｒｅｄ  Ｌ  ３６６０  ＨＤ、サンケミカル（Sun Chemical）のフタロシアニンブルー、フタロシアニングリーン、ジアリリドイエロー、又はジアリリドＡＡＯＴイエローを含む。
【００２９】
色粒子は、赤、緑、青、及び黄色のような無機顔料であってもよい。その例は、ＣＩピグメントブルー２８、ＣＩピグメントグリーン５０、及びＣＩピグメントイエロー２２７を含んでもよいが、これらに限定されない。
【００３０】
色に加えて、４つのタイプの粒子は他の別個の光学的特性を有してもよく、例えば、光透過性、反射率、又はルミネセンスを有していてもよく、又は、機械読み取りのためのディスプレイの場合には、可視域外の電磁波長の反射率の変化の意味でシュードカラーを有していてもよい。
【００３１】
本発明のディスプレイ流体を利用するディスプレイ層は、２つの面、すなわち、見る側における第１の面（１３）と、第１の面（１３）の反対側における第２の面（１４）とを有する。ディスプレイ流体は２つの面の間に挟まれている。第１の面（１３）の側には、ディスプレイ層の上面全体に広がっている、透明電極層（例えばＩＴＯ）である共通電極（１１）がある。第２の面（１４）の側には、複数の画素電極（１２ａ）を備える電極層（１２）がある。
【００３２】
画素電極は特許文献１に開示され、その内容の全体は参照によってここに組み込まれる。画素電極の層として薄膜トランジスタ（ＴＦＴ）バックプレーンで駆動されるアクティブマトリクスに言及しているが、電極が所望の機能に役立つ限り、本発明の範囲が他のタイプの電極アドレシングを包含するということに注意する。
【００３３】
図１において、垂直方向の２つの点線間の各空間は画素を示す。図示するように、各画素は対応する画素電極を有する。電界は、ある画素について、共通電極に印加された電圧と、対応する画素電極に印加された電圧との間の電位差によって生成される。
【００３４】
流体における４つのタイプの粒子の割合は変動してもよい。例えば、黒色／黄色／赤色／白色粒子を有する流体において、黒色粒子は、電気泳動流体の体積の０．１％〜１０％を占め、好ましくは０．５％〜５％を占め、黄色粒子は、流体の体積の１％〜５０％を占め、好ましくは５％〜１５％を占め、赤色及び白色粒子のそれぞれは、流体の体積の２％〜２０％を占め、好ましくは４％〜１０％を占める。
【００３５】
４つのタイプの粒子が分散する溶媒は透明かつ無色である。それは好ましくは、低い粘度と、約２〜約３０の範囲の誘電率とを有し、高い粒子移動度の場合には好ましくは約２〜約１５の範囲の誘電率を有する。適切な誘電性の溶媒の例は、ｉｓｏｐａｒ、デカヒドロナフタレン（ＤＥＣＡＬＩＮ）、５−エチリデン−２−ノルボルネン、脂肪油、パラフィン油のような炭化水素を含み、シリコン流体を含み、トルエン、キシレン、フェニルキシリルエタン、ドデシルベンゼン、又はアルキルナフタレンのような芳香族炭化水素を含み、ペルフルオロデカリン、ペルフルオロトルエン、ペルフルオロキシレン、ジクロロベンゾトリフルオリド、３，４，５−トリクロロベンゾトリフルオリド、クロロペンタフルオロ−ベンゼン、ジクロロノナン、又はペンタクロロベンゼンのようなハロゲン化された溶媒を含み、ミネソタ州セントポールの３Ｍカンパニー（3M Company）からのＦＣ−４３、ＦＣ−７０、又はＦＣ−５０６０のようなフッ素化溶媒（perfluorinated solvent）を含み、オレゴン州ポートランドのＴＣＩアメリカ（TCI America）からのポリ（ペルフルオロプロピレンオキシド）のような低分子量のハロゲンを含有するポリマーを含み、ニュージャージー州リヴァーエッジのハロカーボンプロダクトコーポレイション（Halocarbon Product Corp.）からのハロカーボン油のようなポリ（クロロトリフルオロエチレン）を含み、アウジモント（Ausimont）からのＧａｌｄｅｎ（登録商標）又はデラウェア州のデュポン（DuPont）からＫｒｙｔｏｘ（登録商標）油及びグリースのＫ−流体シリーズのようなペルフルオロポリアルキルエーテルを含み、ダウコーニング（Dow-corning）からのポリジメチルシロキサンに基づいたシリコーン油（ＤＣ−２００）を含む。
【００３６】
１つの実施形態では、「より弱い電荷」の粒子が帯びている電荷は、「より強い電荷」の粒子が帯びている電荷の約５０％未満、好ましくは約５％〜約３０％であってもよい。他の実施形態では、「弱い電荷」の粒子は、「強い電荷」の粒子が帯びている電荷の約７５％未満、又は約１５％〜約５５％であってもよい。別の実施形態では、開示したような電荷レベルの比較は、同じ電荷極性を有する２つのタイプの粒子に適用される。
【００３７】
電荷強度はゼータ電位に関して測定されてもよい。１つの実施形態では、ゼータ電位は、ＣＳＰＵ−１００信号処理装置、ＥＳＡ  ＥＮ＃  Ａｔｔｎフロースルーセル（Ｋ：１２７）とともに、コロイダルダイナミクス（Colloidal Dynamics）のＡｃｏｕｓｔｏＳｉｚｅｒ  ＩＩＭによって決定される。サンプルで使用される溶媒の密度、溶媒の誘電率、溶媒中の音速、溶媒の粘度のような装置定数は、テスト前に入力される。これらの装置定数のすべては、テスト温度（摂氏２５度）における値が使用される。顔料サンプルは、溶媒（それは通常、１２個未満の炭素原子を有する炭化水素流体である）において分散し、重量に関して５〜１０％の間で希釈される。サンプルは、電荷制御剤（バークシャーハサウェイ（Berkshire Hathaway）の会社であるリューブリゾルコーポレイション（Lubrizol Corporation）から入手可能であるＳｏｌｓｐｅｒｓｅ（登録商標）  １７０００）も含む。ここで、粒子に対する電荷制御剤のウェイトレシオは１：１０である。希釈されたサンプルの質量が決定され、次いで、サンプルは、ゼータ電位を決定するためにフロースルーセルに装填される。
【００３８】
「強い正の」粒子及び「強い負の」粒子の大きさは、同じであってもよく、又は異なっていてもよい。同様に、「弱い正の」粒子及び「弱い負の」粒子の大きさは、同じであってもよく、又は異なっていてもよい。
【００３９】
同じ流体において、強い電荷粒子及び弱い電荷粒子からなる２組のペアが異なるレベルの電荷の差を有してもよいことにも注意する。例えば、１つのペアにおいて、弱く正に帯電した粒子は、強く正に帯電した粒子の電荷強度の３０％である電荷強度を有してもよく、もう１つのペアにおいて、弱く負に帯電した粒子は、強く負に帯電した粒子の電荷強度の５０％である電荷強度を有してもよい。
【００４０】
４つのタイプの粒子は異なる粒子サイズを有してもよいということに注意する。例えば、より小さな粒子は、約５０ｎｍ〜約８００ｎｍの範囲のサイズを有してもよい。より大きな粒子は、より小さな粒子のサイズの約２倍〜約５０倍のサイズ、より好ましくは約２倍〜約１０倍のサイズを有してもよい。
【００４１】
以下のものは、本発明を説明する実施例である。
【００４２】
実施例１．
この実施例を図２に示す。強い正の粒子は黒色（Ｋ）であり、強い負の粒子は黄色（Ｙ）であり、弱い正の粒子は赤色（Ｒ）であり、弱い負の粒子は白色（Ｗ）である。
【００４３】
図２（ａ）において、強い負の電位差（例えば−１５Ｖ）が十分な長さの時間期間にわたって画素に印加されるとき、黄色粒子（Ｙ）を共通電極（２１）の側に押し、かつ、黒色粒子（Ｋ）を画素電極（２２ａ）の側に引く電界が発生される。赤色（Ｒ）粒子及び白色（Ｗ）粒子は、それらがより弱い電荷を有するので、より強く帯電した黒色粒子及び黄色粒子より遅く移動し、その結果、それらは画素の中央にとどまり、白色粒子は赤色粒子の上に位置する。この場合、見る側では黄色が見られる。
【００４４】
図２（ｂ）において、強い正の電位差（例えば＋１５Ｖ）が十分な長さの時間期間にわたって画素に印加されるとき、逆極性の電界が発生され、これにより、粒子分布は図２（ａ）に示すものとは逆になり、その結果、見る側では黒色が見られる。
【００４５】
図２（ｃ）において、より弱い正の電位差（例えば＋３Ｖ）が十分な長さの時間期間にわたって図２（ａ）の画素に印加されるとき（すなわち、黄色状態から駆動されるとき）、黄色粒子（Ｙ）を画素電極（２２ａ）に移動させ、かつ、黒色粒子（Ｋ）を共通電極（２１）に移動させる電界が発生される。しかしながら、それらの両方が画素の中央に到達したとき、低い駆動電圧によって発生された電界はそれらの間の強い引力を上回るほど十分に強くないので、それらは移動をやめて、そこにとどまる。一方、低い駆動電圧によって発生された電界は、より弱く帯電した白色粒子及び赤色粒子を分離するのに十分であり、弱い正の赤色粒子（Ｒ）を共通電極（２１）の側（すなわち見る側）にまで移動させ、弱い負の白色粒子（Ｗ）を画素電極（２２ａ）の側に移動させる。その結果、赤色が見られる。この図において、より弱く帯電した粒子（例えばＲ）と、逆極性のより強く帯電した粒子（例えばＹ）との間にも、引力があるということにも注意する。しかしながら、これらの引力は、２つのタイプのより強く帯電した粒子（Ｋ及びＹ）間の引力ほど強くなく、従って、それらは、低い駆動電圧によって発生された電界によって上回ることができる。言いかえれば、より弱く帯電した粒子と、逆極性のより強く帯電した粒子とを、分離することができる。
【００４６】
図２（ｄ）において、より弱い負の電位差（例えば−３Ｖ）が十分な長さの時間期間にわたって図２（ｂ）の画素に印加されるとき（すなわち、黒色状態から駆動されるとき）、黒色粒子（Ｋ）を画素電極（２２ａ）に移動させ、かつ、黄色粒子（Ｙ）を共通電極（２１）に移動させる電界が発生される。黒色粒子及び黄色粒子の両方が画素の中央に到達したとき、低い駆動電圧によって発生された電界はそれらの間の強い引力を上回るには十分でないので、それらは移動をやめて、そこにとどまる。それと同時に、低い駆動電圧によって発生された電界は、白色粒子及び赤色粒子を分離するのに十分であり、弱い負の白色粒子（Ｗ）を共通電極の側（すなわち見る側）にまで移動させ、弱い正の赤色粒子（Ｒ）を画素電極の側に移動させる。その結果、白色が見られる。この図において、より弱く帯電した粒子（例えばＷ）と、逆極性のより強く帯電した粒子（例えばＫ）との間にも、引力があるということにも注意する。しかしながら、これらの引力は、２つのタイプのより強く帯電した粒子（Ｋ及びＹ）間の引力ほど強くなく、従って、それらは、低い駆動電圧によって発生された電界によって上回ることができる。言いかえれば、より弱く帯電した粒子と、逆極性のより強く帯電した粒子とを、分離することができる。
【００４７】
この例示において、黒色粒子（Ｋ）は強い正の電荷を有することが示され、黄色粒子（Ｙ）は強い負の電荷を有し、赤色（Ｒ）粒子が弱い正の電荷を有し、白色粒子（Ｗ）は弱い負の電荷を有するが、実際上、粒子は、任意の色の強い正の電荷、強い負の電荷、弱い正の電荷、又は弱い負の電荷を有してもよい。これらの変形例のすべては本願の範囲内にあることが意図される。
【００４８】
図２（ｃ）及び２（ｄ）における色状態に達するために印加される、より低い電位差は、強い正の粒子の色状態から強い負の粒子の色状態に、又はその逆に画素を駆動するのに必要な全駆動電位差の約５％から約５０％であってもよいということにも注意する。
【００４９】
上述の電気泳動流体は、複数のディスプレイセルにおいて充填される。ディスプレイセルは特許文献２に述べられたマイクロカップであってもよく、その内容の全体は参照によってここに組み込まれる。ディスプレイセルは、それらの形状又はサイズにかかわらず、マイクロカプセル、マイクロチャネル、又はそれらの等価物のような、他のタイプのマイクロコンテナであってもよい。これらのすべては本願の範囲内にある。
【００５０】
図３に示すように、本発明では、ディスプレイセル（３０）及び画素電極（３２ａ）は整列していなくてもよい。
【００５１】
本発明の別の態様では、流体は、実質的に帯電していない中性浮力粒子をさらに含んでもよい。
【００５２】
用語「実質的に帯電していない」とは、帯電していない粒子であるか、又は、より強く帯電した粒子の平均電荷の５％未満である電荷を有する粒子であるかのいずれかを示す。１つの実施形態では、上記中性浮力粒子は帯電していない。
【００５３】
用語「中性浮力」は、重力によって上昇も下降もしない粒子を示す。言いかえれば、粒子は２つの電極プレート間で流体中に浮かぶ。１つの実施形態では、中性の浮力粒子の密度は、それらが分散する１つの溶媒又は溶媒の混合物の密度と同じであってもよい。
【００５４】
ディスプレイ流体における実質的に帯電していない中性浮力粒子の濃度は、好ましくは体積で約０．１〜約５％の範囲にあり、より好ましくは体積で約０．１〜約１０％の範囲にある。
【００５５】
用語「約」は、示した値の±１０％である範囲を示す。
【００５６】
実質的に帯電していない中性浮力粒子は高分子材料から形成されてもよい。高分子材料は共重合体又はホモポリマーであってもよい。
【００５７】
実質的に帯電していない中性浮力粒子のための高分子材料の例は、ポリアクリラート、ポリメタクリラート、ポリスチレン、ポリアニリン、ポリピロール、ポリフェノール、及びポリシロキサンを含んでもよいが、これらに限定されない。高分子材料の特定の例は、ポリ（ペンタブロモフェニルメタクリル酸塩）、ポリ（２−ビニルナフタレン）、ポリ（ナフチルメタクリル酸塩）、ポリ（アルファ−メチルスチレン）、ポリ（Ｎ−ベンジルメタクリルアミド）、及びポリ（ベンジルメタクリル酸塩）を含んでもよいが、これらに限定されない。
【００５８】
より好ましくは、実質的に帯電していない中性浮力粒子は、ディスプレイ流体の溶媒において溶解可能ではないポリマーであって、高い屈折率を有するポリマーから形成される。１つの実施形態では、実質的に帯電していない中性浮力粒子の屈折率は、粒子が分散する１つの溶媒又は溶媒の混合物のそれとは異なる。しかしながら、典型的には、実質的に帯電していない中性浮力粒子の屈折率は、１つの溶媒又は溶媒の混合物より高い。ある場合には、実質的に帯電していない中性浮力粒子の屈折率は１．４５より高くてもよい。
【００５９】
１つの実施形態では、実質的に帯電していない中性浮力粒子の材料は、芳香族を含んでもよい。
【００６０】
実質的に帯電していない中性浮力粒子は、懸濁重合、分散重合、シード重合、ソープフリー重合、乳化重合のような重合技術によって、又は、逆相乳化‐液中乾燥法を含む物理的方法によって、モノマーから調製されていてもよい。モノマーは分散剤が存在する状態で重合される。分散剤の存在は、ポリマー粒子が所望のサイズの範囲で形成されることを可能にする。また、分散剤は、凝塊形成から粒子を防ぐために、ポリマー粒子の面に物理的に又は化学的に結合された層を形成してもよい。
【００６１】
分散剤は好ましくは（少なくとも８つの原子の）長鎖を有し、それは、炭化水素溶媒においてポリマー粒子を安定させる可能性がある。そのような分散剤は、アクリレート又はビニルを終端とする巨大分子であってもよい。このことは、アクリル基又はビニル基が反応媒体中のモノマーと共重合できるので適切である。
【００６２】
分散剤の１つの特定の例は、アクリレートを終端とするポリシロキサン（Ｇｅｌｅｓｔ、ＭＣＲ−Ｍ１７、ＭＣＲ−Ｍ２２）である。もう１つのタイプの適切な分散剤は、以下に示すようなポリエチレンマクロモノマーである。
【００６３】
ＣＨ３−［−ＣＨ２−］ｎ−ＣＨ２Ｏ−Ｃ（＝Ｏ）−Ｃ（ＣＨ３）＝ＣＨ２
【００６４】
マクロモノマーの主鎖はポリエチレン鎖であってもよく、整数「ｎ」は３０〜２００であってもよい。このタイプのマクロモノマーの合成は、非特許文献３に見いだすことができる。
【００６５】
流体系がフッ素で処理される場合、分散剤も好ましくはフッ素で処理される。
【００６６】
代替として、実質的に帯電していない中性浮力粒子は、ポリマーシェルでコーティングされたコア粒子から形成されてもよい。また、シェルは、例えば、上で同定された高分子材料のうちの任意のものから形成されてもよい。
【００６７】
コア粒子は、ＴｉＯ２、ＺｒＯ２、ＺｎＯ、Ａｌ２Ｏ３、ＣＩピグメントブラック２６又は２８など（例えば、マンガンフェライトブラックスピネル又は銅クロム鉄鉱ブラックスピネル）のような無機顔料であってもよく、又は、サンケミカルのフタロシアニンブルー、フタロシアニングリーン、ジアリリドイエロー、ジアリリドＡＡＯＴイエロー、及びキナクリドン、アゾ、ローダミン、ペリレン顔料シリーズ、関東化学（Kanto Chemical）からのＨａｎｓａ  ｙｅｌｌｏｗ  Ｇ粒子、及びフィッシャー（Fisher）からのカーボンランプブラックなどのような有機顔料であってもよい。
【００６８】
コアシェルの実質的に帯電していない中性浮力粒子の場合には、それらが、コアセルベーション、界面重縮合、界面架橋、及びインスーツ（in-suit）重合又はマトリクス重合のようなマイクロカプセル化方法によって形成されてもよい。
【００６９】
実質的に帯電していない中性浮力粒子のサイズは、好ましくは、約１００ナノメータ〜約５ミクロンの範囲にある。
【００７０】
本発明のこの態様の一実施形態では、流体に追加された実質的に帯電していない中性浮力粒子は、４つのタイプの帯電した粒子のうちの１つの色に視覚的に実質的に同じである色を有してもよい。例えば、ディスプレイ流体において、帯電した黒色、黄色、赤色、及び白色粒子と、実質的に帯電していない中性浮力粒子とが存在してもよく、この場合、実質的に帯電していない中性浮力粒子は、黒色、黄色、赤色、又は白色であってもよい。
【００７１】
他の実施形態では、実質的に帯電していない中性浮力粒子は、４つのタイプの帯電した粒子のうちのいずれか１つの色とは実質的に異なる色を有してもよい。
【００７２】
流体における実質的に帯電していない中性浮力粒子の存在は、入射光の反射を増大させ、それにより、特にそれらが反射性の材料から形成される場合、コントラスト比を改善する。
【００７３】
画像安定性は、４種の粒子の流体系において実質的に帯電していない中性浮力粒子を追加することによって改善される可能性がある。実質的に帯電していない中性浮力粒子は、電界が存在するときに電極の面の上に過剰に詰めこまれた帯電した粒子によって生じたギャップを埋めることができ、これにより、帯電した粒子が重力に起因して固まるのを防ぐことができる。
【００７４】
さらに、実質的に帯電していない中性浮力粒子が白色である場合、それらはディスプレイの反射率を向上させる可能性がある。それらが黒色である場合、ディスプレイの黒さを向上させる可能性がある。
【００７５】
いずれにせよ、実質的に帯電していない中性浮力粒子は、流体における４つのタイプの帯電した粒子を駆動するときの挙動に影響しない。
【００７６】
理想的には、強い正の駆動電圧（例えば＋１５Ｖ）が図２（ｂ）に示すように印加されるとき、発生された電界は、強い正の黒色粒子を共通電極の側（すなわち見る側）に移動させ、強い負の黄色粒子及び弱い負の白色粒子を見えない側に移動させ、黒色状態を表示させる。弱い正の赤色粒子は見る側に向かって移動する。しかし、赤色粒子は黒色粒子に比較してより弱い電荷を有するので、それらはより遅く移動し、その結果、見る側において黒色が見られる。しかしながら、実際上、実現された黒色状態は、赤みがかった色調を有する可能性がある。これは、見る側において赤色粒子の一部が黒色粒子と混じり合うことによって引き起こされる可能性がある。
【００７７】
本発明は、不満足な色の問題を解消することができる駆動方法を提供する。駆動方法のうちの１つにおいて、画素は、強く帯電した粒子の色状態に駆動される前に、最初に、弱く帯電した粒子のうちの１つの色状態に駆動され、弱く帯電した粒子及び強く帯電した粒子は逆の電荷極性を有する。
【００７８】
例えば、画素は、次のステップに従って黒色状態に駆動されてもよい。
ａ）まず、低い負の駆動電圧を印加することで、（弱く負に帯電した）白色粒子の色状態に駆動すること、及び、
ｂ）強い正の駆動電圧を印加することで、（強く正に帯電した）黒色粒子の色状態に駆動すること。
【００７９】
図４Ａに、この駆動シーケンスを示す。
【００８０】
ステップ（ａ）において、白色状態（例えば図２（ｄ））になると、２つのタイプの「強く帯電した」粒子、すなわち黒色粒子及び黄色粒子は、互いに引きつけられることで画素の中央にとどまり、弱く正に帯電した赤色顔料粒子は、画素電極に近づくように、又は画素電極に到達するように移動する。
【００８１】
ステップ（ｂ）において、白色粒子及び黄色粒子は画素電極の側に押され、弱く正に帯電した赤い粒子が見る側に現れる可能性はずっと低い。このシーケンスは黒色状態のより良好な品質をもたらす。
【００８２】
この駆動方法において、白色状態は、赤色状態又は黄色状態を経由せずに、直接に黒色状態に駆動される。ステップ（ａ）における白色状態の品質がより高くなると、ステップ（ｂ）における黒色状態の品質がより高くなるということもわかる。「白色状態の品質がより高くなる」とは、単に、白色状態について、Ｌ＊ａ＊ｂ＊表色系での高いＬ＊値及び低いａ＊値及びｂ＊値を意味する。
【００８３】
同様の駆動方法は、画素を黄色状態に駆動することに適用されてもよい。本方法は以下のステップを有する。
ａ）まず、低い正の駆動電圧を印加することで、（弱く正に帯電した）赤色粒子の色状態に駆動すること、及び、
ｂ）強い負の駆動電圧を印加することで、（強く負に帯電した）黄色粒子の色状態に駆動すること。
【００８４】
図４Ｂに、この駆動シーケンスを示す。
【００８５】
この駆動方法において、赤色状態は、白色状態又は黒色状態を経由せずに、直接に黄色状態に駆動される。ステップ（ａ）における赤色状態の品質がより高くなると、ステップ（ｂ）における黄色状態の品質がより高くなるということもわかる。「赤色状態の品質がより高くなる」とは、単に、赤色状態について、Ｌ＊ａ＊ｂ＊表色系での高いａ＊値を意味する。
【００８６】
図４Ａ及び図４Ｂに示す駆動方法は以下のように要約されてもよい。
電気泳動媒体を備え、第１面及び第２面をその互いに逆の面の上に有するディスプレイ層を駆動する駆動方法であって、
上記電気泳動媒体は、第１のタイプの正の粒子、第１のタイプの負の粒子、第２のタイプの正の粒子、及び第２のタイプの負の粒子を備え、これらのすべては１つの溶媒又は溶媒の混合物に分散され、
上記４つのタイプの粒子は、互いに異なる光学的特性をそれぞれ有し、
上記方法は、
（ａ）第１のタイプの正の粒子及び第１のタイプの負の粒子の間の引力を上回るのに十分な強さではない電界であって、第２のタイプの正又は負の粒子と同じ極性を有する電界に印加することで、第２のタイプの正又は負の粒子の光学的特性を第１の面に表示させることと、
（ｂ）第１のタイプの正の粒子及び第１のタイプの負の粒子の間の引力を上回るのに十分な強さの電界であって、ステップ（ｓ）の電界の極性とは逆極性を有する電界を印加することで、第１のタイプの正の粒子又は第１のタイプの負の粒子の光学的特性を第１の面に表示させることと
を含む。
【００８７】
さらに、色の明度及び色の純度の両方を保証するために、１つの色状態からもう１つの色状態に駆動する前に、振動波形が使用されてもよい。振動波形は、多くのサイクルにわたる、一対の逆方向に駆動するパルスの繰り返しからなる。例えば、振動波形は、２０ミリ秒にわたる＋１５Ｖパルス及び２０ミリ秒にわたる−１５Ｖパルスからなってもよい。そのような一対のパルスは５０回繰り返される。そのような振動波形の合計時間は２０００ミリ秒になる（図５を参照）。
【００８８】
実際に、少なくとも１０回の反復（すなわち１０ペアの正及び負のパルス）が行われてもよい。
【００８９】
振動波形は、駆動電圧が印加される前に、光学的状態（黒色、白色、赤色、又は黄色）にかかわらず供給されてもよい。振動波形が供給された後、光学的状態は、純粋な白色、純粋な黒色、純粋な黄色、又は純粋な赤色ではなくなる。代わりに、色状態は、４つのタイプの顔料粒子の混合物からのものになる。
【００９０】
振動波形における駆動パルスのそれぞれは、本実施例では、完全な黒色状態から完全な黄色状態に変化するのに必要とされる駆動時間の５０％を超えない（又は、３０％、１０％、又は５％を超えない）時間にわたって供給される。例えば、完全な黒色状態から完全な黄色状態に、又はその逆にディスプレイ装置を駆動するのに３００ミリ秒かかる場合、振動波形は、１５０ミリ秒を超えない時間にわたってそれぞれ供給される正及び負のパルスからなってもよい。実際に、パルスがより短いことが好まれる。
【００９１】
１つの実施形態では、振動波形は、図４Ａ又は図４Ｂの駆動シーケンス前に供給されてもよい。
【００９２】
もう１つの実施形態では、画素は、
（ｉ）振動波形の供給を受け、
（ｉｉ）黒色に駆動され（すなわち１回目の黒色状態）、
（ｉｉｉ）白色に駆動され、次いで、
（ｉｖ）黒色に駆動される（すなわち２回目の黒色状態）。
【００９３】
このシーケンスでは、ステップ（ｉｉ）は図２（ｂ）に従って実行されてもよく、ステップ（ｉｉｉ）は図２（ｄ）に従って実行されてもよく、ステップ（ｉｖ）は図４Ａに従って実行されてもよい。
【００９４】
図６Ａに、この駆動シーケンスの例示的な波形を示す。本発明の駆動シーケンスのうちの任意のものにおいて、波形は好ましくはＤＣバランスがとれている、すなわち、ディスプレイにわたって印加される平均電圧は、所定時間期間にわたって積分したとき、実質的にゼロである。図６Ａにおいて、図示したような初期ステップで、波形全体のＤＣバランスを保証するために高い負の駆動電圧が印加される。
【００９５】
同様に、振動波形と図４Ｂの方法との両方が、駆動のシーケンスに組み込まれてもよい。
（ｉ）振動波形の供給を受け、
（ｉｉ）黄色に駆動され（すなわち１回目の黄色状態）、
（ｉｉｉ）赤色に駆動され、次いで、
（ｉｖ）黄色に駆動される（すなわち２回目の黄色状態）。
【００９６】
このシーケンスでは、ステップ（ｉｉ）は図２（ａ）に従って実行されてもよく、ステップ（ｉｉｉ）は図２（ｃ）に従って実行されてもよく、ステップ（ｉｖ）は図４Ｂに従って実行されてもよい。
【００９７】
図６Ｂに、この駆動シーケンスの例示的な波形を示し、これも「ＤＣバランスがとれている」。
【００９８】
実際に、１回目の色状態（黒色又は黄色）の品質は、通常、２回目の色状態（黒色又は黄色）と比較して劣っている。
【００９９】
本発明はその特定の実施形態に関して説明されているが、本発明の範囲を逸脱することなく、様々な変更を行ってもよく、等価物で置き換えてもよいことは当業者には理解されるべきである。さらに、特定の状況、材料、組成、処理、１つ又は複数の処理ステップを本発明の目的、精神、及び範囲に適合させるために、多くの変更がなされてもよい。そのような変更のすべては、ここに添付された特許請求の範囲内にあることが意図される。
【図１】
0006393746.tif 000002
【図２−１】
0006393746.tif 000003
【図２−２】
0006393746.tif 000004
【図２−３】
0006393746.tif 000005
【図３】
0006393746.tif 000006
【図４Ａ】
0006393746.tif 000007
【図４Ｂ】
0006393746.tif 000008
【図５】
0006393746.tif 000009
【図６Ａ】
0006393746.tif 000010
【図６Ｂ】
0006393746.tif 000011